(57)【要約】【課題】  煩わしいキー操作をすることなく、簡単な操作により携帯端末に搭載されている電子財布の残高を確認できるようにする。【解決手段】  近距離無線通信を行なう非接触型ＩＣカード部が本体に内蔵若しくは着脱可能に組み込まれた携帯端末であって、携帯端末本体が振られていることを検出する振動検出部２５と、上記非接触型ＩＣカード部による電子財布の残高情報を記憶する残高情報記憶部１９と、金額の区分と報知方法が対応づけられて記憶される設定記憶部１３を備える。そして、振動検出部２５で検出される振動の動きが電子財布の残高を報知することを要求する動きである場合、残高情報記憶部１９に記憶されている残高情報の金額に応じた報知方法、例えば金額に応じて音を変えて残高を報知する。【選択図】        図２
2007034722.tif 000002
【特許請求の範囲】
【請求項１】
近距離無線通信を行なう非接触型ＩＣカード部が本体に内蔵若しくは着脱可能に組み込まれた携帯端末であって、
携帯端末本体が振られていることを検出する振動検出部と、
前記非接触型ＩＣカード部による電子財布の残高情報を記憶する残高情報記憶部と、
金額の区分と報知方法が対応づけられて記憶される設定記憶部と、
前記振動検出部で検出される振動の動きが前記電子財布の残高を報知することを要求する動きである場合、前記残高情報記憶部に記憶されている残高情報の金額に応じた報知方法で前記電子財布の残高を報知させるように制御する制御部と
を備えることを特徴とする携帯端末。
【請求項２】
前記制御部は、前記設定記憶部に記憶されている特定の金額の区分においては前記電子財布の残高を報知しないよう設定されている場合、前記残高が前記特定の金額の区分に該当するときは前記残高の報知を行わない
ことを特徴とする請求項１に記載の携帯端末。
【請求項３】
スピーカを備え、
前記制御部は、前記残高情報記憶部に記憶されている残高情報の金額が、前記設定記憶部に記憶されている金額の区分のいずれに該当するかを判別し、前記報知方法として、前記残高情報の金額が該当する区分に対応する音を前記スピーカから出力させる
ことを特徴とする請求項１に記載の携帯端末。
【請求項４】
表示部を備え、
前記制御部は、前記残高情報記憶部に記憶されている残高情報の金額が、前記設定記憶部に記憶されている金額の区分のいずれに該当するかを判別し、前記報知方法として、前記残高情報の金額が該当する区分に対応する表示内容を前記表示部に表示させる
ことを特徴とする請求項１に記載の携帯端末。
【請求項５】
表示器を備え、
前記制御部は、前記残高情報記憶部に記憶されている残高情報の金額が、前記設定記憶部に記憶されている金額の区分のいずれに該当するかを判別し、前記報知方法として、前記残高情報の金額が該当する区分に対応する点灯パターンで前記表示器を点灯させる
ことを特徴とする請求項１に記載の携帯端末。
【発明の詳細な説明】
【技術分野】
【０００１】
本発明は、非接触型ＩＣカードによる電子財布機能を備えた携帯電話端末などに適用して好適な携帯端末に関する。
【背景技術】
【０００２】
近年、交通機関の乗車券、会員証や社員証、店舗での代金決済手段用のカード等として、非接触型のＩＣカードの利用が急速に広まっている。非接触型のＩＣカードは、近接したリーダ／ライタとの間で無線通信を行って、認証処理を行なうので、カードケースや財布などの中に入れたままで使用でき、磁気カードなどに比べて使い勝手がよい。
【０００３】
一方、このような非接触型のＩＣカード（あるいはＩＣカードと同等の機能の回路部品）を、携帯用の電子機器に内蔵させて、これらの電子機器を使用して、同様の認証や決済を行なえるようにすることが提案されている。
【０００４】
例えば、非接触型ＩＣカード機能を内蔵し、電子財布（電子マネーともいう）の機能を持った携帯電話端末が数多く実用化されている。電子財布は、入出金や決済機能、利用履歴や個人情報の記憶機能などの各種機能を有している。この電子財布を利用することにより、店舗での現金のやり取りが減少して利便性が向上する。
【０００５】
ところで、電子財布は、例えばリーダ／ライタと近距離無線通信を行ない、予め現金をチャージ（積み増し）しておく必要がある。当然のことながら、電子財布で支払いをするたびに残高が減るので、店舗で買い物をする前に電子財布の残高を確認しておく必要がある。
【０００６】
例えば、残高を知る方法としては、月末に利用者へ送付されてくる利用履歴通知書やサービスサイトへのアクセスにより利用履歴、残高等を知る方法がある。また、携帯電話端末に搭載されているアプリケーションで残高を確認することができるものもある。
【０００７】
さらには、携帯電話端末の利用者が店舗等で商品を購入し、当該携帯電話端末の非接触ＩＣカードを介して購入代金の支払いがなされたとき、店舗側通信機（リーダ／ライタ）が利用者の携帯電話端末に電子メールで利用明細情報を送信する技術も提案されている（例えば、特許文献１参照。）。これによれば、利用者は、電子マネーを利用後に利用明細にて素早く残高を知ることができるので、次の買い物前に残高を把握しておくことができる。
【特許文献１】特開２００４−２２７４６３号公報（図２参照）
【発明の開示】
【発明が解決しようとする課題】
【０００８】
しかしながら、急いでいるときやおおよその残高を素早く知りたいときには、携帯電話端末をキー操作して、サービスサイトへアクセスしたり、携帯電話端末に搭載されたアプリケーションで確認するのは、煩わしい作業である。また、特許文献１に記載の技術では、商品を購入しないと残高を知ることができないので、やはり急いでいるときやおおよその残高を素早く知りたいという要求に答えられるものではない。
【０００９】
本発明は斯かる点に鑑みてなされたものであり、煩わしいキー操作をすることなく、簡単な操作により携帯端末に搭載されている電子財布の残高を確認できるようにすることを目的とする。
【課題を解決するための手段】
【００１０】
上記課題を解決するため、本発明は、近距離無線通信を行なう非接触型ＩＣカード部が本体に内蔵若しくは着脱可能に組み込まれた携帯端末であって、携帯端末本体が振られていることを検出する振動検出部と、上記非接触型ＩＣカード部による電子財布の残高情報を記憶する残高情報記憶部と、金額の区分と報知方法が対応づけられて記憶される設定記憶部と、上記振動検出部で検出される振動の動きが電子財布の残高を報知することを要求する動きである場合、上記残高情報記憶部に記憶されている残高情報の金額に応じた報知方法で電子財布の残高を報知させるように制御する制御部とから構成する。
【００１１】
上述の構成によれば、急いで買い物をしたいときなどに、煩わしいキー操作をすることなく、携帯端末を振るという簡単な操作により、携帯端末に内蔵された電子財布の残高報知要求を行なうことができる。
【発明の効果】
【００１２】
本発明によれば、急いで買い物をしたいときなどに、煩わしいキー操作をすることなく、携帯端末を振るという簡単な操作により、携帯端末に内蔵された電子財布の大まかな残高を素早く確認することができる。
【発明を実施するための最良の形態】
【００１３】
以下、本発明の一実施の形態例について、図１〜図４を参照しながら説明する。
【００１４】
図１Ａ，Ｂは、本発明の一実施の形態例に係る携帯電話端末を示した図であり、Ａは上下筐体を開いた状態、Ｂは上下筐体を閉じた状態を表す。本発明の携帯端末を、携帯電話端末に適用し、利用者が携帯電話端末に与える特定の振動・動きをトリガにして、残高確認が行われるように実装している。
【００１５】
図１Ａに示すように、携帯電話端末１００の筐体は、上部筐体１ａ、下部筐体１ｂとこれらを回動可能に接続するヒンジ部１ｃから構成された、いわゆる折り畳み型あるいはクラムシェル型といわれる開閉方式のものである。携帯電話端末１００の上部筐体１ａ及び下部筐体１ｂを開いた状態において、上部筐体１ａの正面にディスプレイ（表示部）３１とレシーバ５が配置されている。一方、下部筐体１ｂの正面にはジョグ・シャトル・ダイヤルや押しボタン等が複数配置され操作手段として機能する操作部３３と、マイクロフォン（マイク）８が配置されている。携帯電話端末１００の上部筐体内部には、この端末本体の物理的な動きを検出するための加速度センサ（振動検出部）２５が内蔵されている。
【００１６】
図１Ｂに示すように、携帯電話端末１００を閉じた状態において、上部筐体１ａの裏面にはディスプレイ（表示部）３２、ＬＥＤ（Light Emitting Diode）３５、スピーカ２４が配置されている。ディスプレイ３２は、サブディスプレイとして機能し、例えば電子メールの着信や非接触ＩＣカード部による電子財布の残高等を表示する。
【００１７】
なお、携帯電話端末１００の構造は図１に示すものに限るものではなく、いわゆるスライド型、リボルバー型、又は１つの筐体から構成されているスティック型などであってもよいことは勿論である。
【００１８】
図２は、電子財布付きの携帯電話端末１００のブロック構成例を示すものである。本実施の形態の携帯電話端末１００は、無線電話システムの基地局（図示略）と無線通信を行なうための無線電話通信用のアンテナ１と、それに接続する無線送受信部２を備え、基地局との間で無線通信を行なうことができる。アンテナ１で受信された信号は無線送受信部２に入力され、ここで一定のビットレートのデジタルデータに変換され、誤り訂正処理等を施された後、音声データと通信データに分けられる。
【００１９】
通話時における通話相手の音声データは、音声復号部３に入力され伸張などの処理をしてＤ／Ａコンバータ（図示略）を経由しアナログ信号へ変換される。アナログ音声信号はレシーバアンプ４にてレシーバ５を駆動するために必要な電力に増幅され、レシーバアンプ４から増幅されたアナログ音声信号がレシーバ５へ入力され、レシーバ５より空気中へ放音される。
【００２０】
また、利用者の音声は、マイク８により集音され、マイクアンプ７にて必要なレベルまで増幅される。増幅された音声信号は音声符号化部６において、Ａ／Ｄコンバータ（図示略）によりデジタル信号に変換され、圧縮等の処理が行われて無線送受信部２に入力される。そして、アンテナ１を経由して基地局へ送信され、通話相手の端末へと送られる。
【００２１】
一方、無線送受信部２で分けられた通信データは、通信データ復号部９へ入力されて、所定の復号処理が行われる。例えば受信した通信データがオーディオ信号である場合、通信データ復号部９で復号された後、中央処理装置（制御部）であるＣＰＵ（Central Processing Unit）１６の制御により、ＣＰＵバス１４を通じて、ＲＡＭ（Random Access Memory）に一時保持される。そして、ＣＰＵ１６の制御によりオーディオ信号である通信データがオーディオ信号処理部２２に送られ、Ｄ／Ａコンバータ（図示略）でアナログ信号に変換され、スピーカアンプ２３で増幅されてスピーカ２４より放音される。
【００２２】
また、通信データ符号化部１０は、携帯電話端末１００から外部へ通信データを送信する際に、所定の処理を行なうものである。通信データ符号化部１０に入力された通信データは、圧縮、あるいは誤り訂正用の冗長データ等が付加された後、無線送受信部２へ送られ、アンテナ１から基地局へ送信される。
【００２３】
また、携帯電話端末１００は、不揮発性メモリのＲＯＭ（Read Only Memory）１１、随時アクセス可能なＲＡＭ（Random Access Memory）１２、電気的書込み消去可能なＥＥＰＲＯＭ（Electrically Erasable Programmable Read-Only Memory）１３を備えている。
【００２４】
ＲＯＭ１１は、ＣＰＵ１６が処理すべきプログラムを全て記憶している。ＲＡＭ１２は、ＣＰＵ１６がＲＯＭ１１のプログラムに従って所定の制御又はデータの処理を行なう場合、処理の過程で一時的に発生するデータ等を記憶する。ＥＥＰＲＯＭ１３は、利用者が操作部５ｃを操作して入力した電子財布の残高の報知方法についての設定条件等を記憶する設定記憶部として機能するメモリである。
【００２５】
ＣＰＵ１６は、携帯電話端末全体の制御を司る制御部として機能し、例えば、ＣＰＵバス１４と接続されている入出力ポートＩ／Ｏ１５を経由して、表示すべき内容が含まれた映像データをディスプレイ３１、若しくはディスプレイ３２へ送信する。また、操作部３３からＩ／Ｏ１５を介して入力された信号を処理する。また、Ｉ／Ｏ１５を経由して制御信号をＬＥＤ３４へ送信し、ＬＥＤ３４の発光（点灯・点滅）を制御する。データＩ／Ｆ３５は、携帯電話端末１００と外部機器とのＩ／Ｆ（インターフェース）に使用される。
【００２６】
なお、通常、携帯電話端末１００の操作部３３の各キー下部には発光ダイオード（ＬＥＤ）が埋め込まれているので、ＣＰＵ１６によりこれら発光ダイオードの発光を制御するようにしてもよい。
【００２７】
ＣＰＵ１６と接続されている加速度センサ（振動検出部）２５は、割り込み、加速度の数値を伝えるためのインターフェースである。利用者が携帯電話端末を振ったときなどにその動き、すなわち携帯電話端末の加速度の大きさと向きを検出して、その情報をＣＰＵ１６に送信する。
【００２８】
この加速度センサ２５は、携帯電話端末が物理的に動いたときに掛かる加速度を検知する。加速度センサ２５は例えば２軸のものを用いることができる。２軸のうち一方を重力加速度と同じ向き（鉛直方向）、もう一方を重力加速度と直交する向き（水平方向）に配置する。加速度センサ２５は、検知した加速度の大きさに応じて、例えばＰＷＭ（Pulse Width Modulation）信号に変換して加速度データを出力する。加速度センサ２５のＰＷＭ信号出力が、加速度０ｇ（ｇ；重力加速度）のときデューティー比５０％とし、検知した加速度の大きさ・向きによってデューティー比を増減するようにする。
【００２９】
上記加速度センサ２５は、２軸の加速度センサを用いているが、３軸の加速度センサを適用することもできる。また、検出した加速度に応じて出力する信号をＰＷＭ信号としたが、携帯電話端末１００にかかる物理的な動きの加速度を所定の信号に変換して検出できればよく、アナログ信号などその他種々の信号形態が適用できる。
【００３０】
ＣＰＵ１６は、例えばキャプチャ・タイマ機能（インプット・キャプチャ機能）により加速度センサ２５から出力されたＰＷＭ信号の加速度データを受け取って解析を行ない、携帯電話端末１００の動作パターンを識別する。加速度データを取得したＣＰＵ１６は、取得した加速度データの水平方向及び鉛直方向の加速度と、水平方向及び鉛直方向の加速度の比により、携帯電話端末１００がどの方向にどれくらい動いたかを計算する。そして、計算結果から携帯電話端末１００が所定の動作をしたかどうか、すなわち残高報知処理を要求されたものかどうかを判別する。
【００３１】
なお、携帯電話端末１００を振るパターン（振り方）は、残高報知を要求していることを判別できるものであればよいので、種々のパターンが考えられる。また、携帯電話端末１００の筐体を開いているとき及び閉じているときそれぞれにおいて、残高報知を要求していることを検出することができるものとする。
【００３２】
また、携帯電話端末１００は、カード通信アンテナ２０、カード通信制御部１８及びカード通信メモリ部（残高情報記憶部）１９から構成される非接触型ＩＣカード部２１を備えている。カード通信アンテナ２０を介し店舗に設置されたリーダ／ライタと無線通信を行なうことで、金銭授受が行われる。非接触型ＩＣカード部２１のカード通信制御部１８は、専用のインターフェース部１７を介してＣＰＵ１６と接続され、ＣＰＵ１６との間で入出金情報、残高情報、個人認証情報（ＩＤ）等をやり取りする。入出金情報、残高情報、個人認証情報等は、カード通信制御部１８に接続されたカード通信メモリ部１９に記憶される。
【００３３】
なお、本例の非接触型ＩＣカード部２１は、携帯電話端末１００本体に内蔵としているが、携帯電話端末１００と着脱可能な構成としてもよい。
【００３４】
ここで、ＥＥＰＲＯＭ１３に記憶される残高報知方法の設定条件について説明する。図３は、残額の金額の区分と報知方法を対応づけた電子財布残高報知方法設定テーブルの一例を示したものである。金額のしきい値を設定して残高Ｎの金額に応じて複数の区分に分類し、その区分毎に報知方法、すなわち、音、ＬＥＤの発光パターン、ディスレプイへの表示等を定義する。
【００３５】
例えば、一例として残高に応じて次のように残高報知時の音を変えられるようにする。まず、残高がほとんどないか全くない場合を想定した設定をする。例えば残高が０円から９９円の間の場合（図３；Ｎ≦Ａ−１）、携帯電話端末１００を振ったときに「ブー」という音を鳴らし、買い物ができないことを示す音が鳴るようにする。このとき「ブー」という音が鳴る音楽データのファイルとして、ファイル１を選択して設定する。
【００３６】
次に、残高はあるが残り少ないので速やかに電子財布の補充をした方がよい場合を想定した設定を行なう。例えば、残高が１００円から９９９円の間の場合（図３；Ａ≦Ｎ≦Ｂ−１）、携帯電話端末１００を振ったときに「ピピピピ」と注意を促す音が鳴るようにする。このとき「ピピピピ」という音が鳴る音楽データのファイルとして、ファイル２を選択して設定する。
【００３７】
また、残高は十分にあるが、そろそろ都合のよいときに電子財布を補充しておいた方がよい場合を想定した設定をする。例えば、残高が１，０００円から４，９９９円の間の場合（図３；Ｂ≦Ｎ≦Ｃ−１）、携帯電話端末１００を振ったときに「チャリンチャリン」とコインの音が鳴るようにする。このとき「チャリンチャリン」という音が鳴る音楽データのファイルとして、ファイル３を選択して設定する。
【００３８】
さらに、残高が十分にあり、当分電子財布の補充を考えなくてよい場合を想定した設定を行なう。例えば、５，０００円以上残高がある場合（図３；Ｃ≦Ｎ）、携帯電話端末１００を振ったときに「ジャラジャラ」とゲーム機からコインが大量に出てくるときの音が鳴るようにする。このとき「ジャラジャラ」という音が鳴る音楽データのファイルとして、ファイル４を選択して設定する。
【００３９】
勿論、上記金額のしきい値は、携帯電話端末１００の利用者が自由に設定できるものとする。また、音についても携帯電話端末１００に予めプリセットしてある音や、携帯電話システムを利用してダウンロードした着信音などを携帯電話端末１００の利用者が好みに応じて自由に設定することができる。
【００４０】
利用者による設定の方法の一例としては、携帯電話端末１００の設定メニューの中に、「電子財布残高報知」という項目を設け、例えば「音でお知らせ」項目をオンに設定し、金額のしきい値を操作部３３の数字キーで入力して、そのしきい値の間のときに鳴らしたい音を、ＥＥＰＲＯＭ１３のファイルから選ぶようにする。しきい値を何通り設定するかも所有者の好みで選べるようにする。
【００４１】
また、音だけでなく、ＬＥＤの発光パターン、ディスプレイへの表示による残高報知についても設定することができる。この場合は、音により残高報知する場合と同様に設定し、そのしきい値の間のときに点灯又は点滅させたいパターン、及び表示内容を示すファイルを選び設定する。
【００４２】
また、ある範囲（区分）における残高を報知しなくてもよいように設定することもできる。例えば、図３の例では、ＬＥＤの発光パターン及びディスプレイへの表示において、残高がＣ≦Ｎの範囲の場合、残高報知処理がオフに設定されている。ＣＰＵ１６は残高がこの範囲のときは残高の報知処理を行わない。
【００４３】
次に、電子財布残高報知方法設定テーブルに基づいたＣＰＵ１６による残高報知処理について、図４のフローチャートを参照して説明する。この例では、音による残高報知処理について説明する。
【００４４】
まず、ＣＰＵ１６は、ＥＥＰＲＯＭ１３にアクセスして、電子財布残高報知方法設定テーブルの残高表示音設定がオンになっているかどうかを判断する（ステップＳ２０１）。そして、オンに設定されているときは、加速度センサ２５からの信号を監視して携帯電話端末１００が振られるのを待つ（ステップＳ２０２）。
【００４５】
ＣＰＵ１６は加速度センサ２５で検出された加速度データを分析して、携帯電話端末１００が振られたと判断すると、カード通信メモリ部１９から残高情報（残高Ｎ）を読み出し（ステップＳ２０３）、どのしきい値の間（区分）に入るのかを判断する。なお、ステップＳ２０１とステップＳ２０２の処理は、逆であってもよい。
【００４６】
この判断処理について、図３に示した電子財布残高報知方法設定テーブルを利用して説明する。例えば図３において、Ａ，Ｂ，Ｃはそれぞれ、１００円、１，０００円、５，０００円に設定されているものとする。まず、残高Ｎが９９円以下であるかどうかを判断する（ステップＳ２０４）。残高Ｎが９９円以下である場合、ファイル１の音楽データを再生して、例えば「ブー」という音を鳴らす（ステップＳ２０５）。
【００４７】
上記ステップＳ２０４の判断処理において、残高Ｎが９９円より多い場合には、次に、残高Ｎが１００円以上かつ９９９円以下であるかどうかを判断する（ステップＳ２０６）。残高Ｎがこの範囲内である場合、ファイル２の音楽データを再生し、例えば「ピピピピ」という音を鳴らす（ステップＳ２０７）。
【００４８】
上記ステップＳ２０６の判断処理において、残高Ｎが９９９円より多い場合には、次に、残高Ｎが１，０００円以上かつ４，９９９円以下であるかどうかを判断する（ステップＳ２０８）。残高Ｎがこの範囲内である場合、ファイル３の音楽データを再生し、例えば「チャリンチャリン」という音を鳴らす（ステップＳ２０９）。各音を一定時間鳴らした後、音を鳴らすのを止めて残高報知処理を終了する。
【００４９】
上記ステップＳ２０８の判断処理において、残高Ｎが４，９９９円より多い場合、ファイル４の音楽データを再生し、例えば「ジャラジャラ」という音を鳴らして（ステップＳ２１０）、処理を終了する。
【００５０】
上述した構成の本実施の形態例によれば、例えば、急いで買い物をしたいときに、煩わしいキー操作をすることなく、携帯電話端末を振るという簡単な操作により、携帯電話端末に内蔵された電子財布の大まかな残高を素早く確認することができる。
【００５１】
また、携帯電話端末に内蔵された電子財布のおおよその残高を音により報知するようにした場合、あたかも本物の財布のように、振ったときの音で利用者に残高を知らせることができる。
【００５２】
本実施の形態例における残高報知方法は、音による報知の他に、ＬＥＤ（表示器）の発光パターン、またディスレプレイへの残高表示により報知できるようにしている。例えば、図４のフローチャートのように、「ブー」という音、「ピピピピ」という音、「チャリンチャリン」という音、「ジャラジャラ」という音を鳴らして残高を報知した場合、自分が持っている携帯電話端末１００の電子財布の残高が他人に知られてしまう可能性があり、防犯上好ましくない。
【００５３】
そこで、ＬＥＤの発光パターン、あるいはディスプレイへの表示により残高を報知するようにすれば、電子財布のおおよその残高を他人に知られることなく確認することができる。なお、音による報知の際に、例えば「ブー」という音などのブザー音に代えて、ダウンロードした着信音などにより残高を報知することによっても、他人に電子財布の残高を知られるのを防止できる。
【００５４】
また、上記ディスプレイへの残高表示の際には、おおよその残高表示をキャラクターなど何らかの静止画又は動画で表示してもよいし、勿論残高の金額を直接表示してもよい。また、残高の表示を、携帯電話端末１００のサブ表示部のディスプレイ３２に表示するようにした場合には、携帯電話端末１００を閉じた状態でも残高を確認することができるので、便利である。勿論、携帯電話端末１００を開いた状態で、携帯電話端末１００を振って残高報知を要求し、メイン表示部のディスプレイ３１に残高を表示させるようにしてもよい。
【００５５】
また、本発明は、携帯端末として携帯電話端末１００に適用したが、これに限定されるものではなく、例えば小型のモバイルコンピュータ、ＰＤＡ（Personal Digital Assistant）等の携帯機器に適用するなど、その他本発明の要旨を逸脱しない範囲において、種々の変形、変更が可能であることは勿論である。
【図面の簡単な説明】
【００５６】
【図１】本発明の一実施の形態例に係る携帯電話端末を示した図であり、Ａは上下筐体を開いた状態、Ｂは上下筐体を閉じた状態を表す。
【図２】本発明の一実施の形態例に係る携帯電話端末のブロック構成を示した図である。
【図３】本発明の一実施の形態例に係る電子財布残高表示方法設定テーブルである。
【図４】本発明の一実施の形態例に係る中央処理装置による残高表示処理を示したフローチャートである。
【符号の説明】
【００５７】
１３…ＥＥＰＲＯＭ、１６…ＣＰＵ（中央処理装置）、１８…カード通信制御部、１９…カード通信メモリ部、２０…カード通信アンテナ、２１…非接触型ＩＣカード部、２４…スピーカ、２５…加速度センサ、３１，３２…ディスプレイ、３４…ＬＥＤ、１００…携帯電話端末
【図１】
2007034722.tif 000003
【図２】
2007034722.tif 000004
【図３】
2007034722.tif 000005
【図４】
2007034722.tif 000006